(57)【要約】【課題】空気調和機の室外ユニットの吹出グリルの装着作業の効率化を図ること。【解決手段】吹出グリル６に形成された係合爪１２を前面パネル３に形成された係合孔１３に係合させることにより吹出グリル６が前面パネル３に装着固定される空気調和機の室外機ユニットであって、吹出グリル６には各係合爪１２に隣接する部位に係合爪１２より突出した突起部１４を形成し、前面パネル３に突起部１４と整合する部位に差し込み孔１５を形成し、突起部１４が差し込み孔１５へ係合爪１２より先に差し込むことにより、係合爪１２と係合孔１３との整合が図れるため係合の効率化が図られ、室外ユニットの吹出グリルの装着作業の効率化を図るものである。【選択図】図３
2008170082.tif 000002
【特許請求の範囲】
【請求項１】
吹出グリルに形成された係合爪を前面パネルに形成された係合孔に係合させることにより前記吹出グリルが前記前面パネルに装着固定される空気調和機の室外機ユニットであって、前記吹出グリルには前記各係合爪に隣接する部位に前記係合爪より突出した突起部を形成し、前記前面パネルに前記突起部と整合する部位に差し込み孔を形成し、前記突起部が前記差し込み孔へ前記係合爪より先に差し込まれるように形成されていることを特徴とする空気調和機の室外機ユニット。
【請求項２】
突起部は、鋭角に突出した形状で形成されてなることを特徴とする請求項１に記載の空気調和機の室外機ユニット。
【請求項３】
突起部は、根元から先端に向かって細くなるような形状で形成されてなることを特徴とする請求項１に記載の空気調和機の室外機ユニット。
【請求項４】
係合爪と係合孔との嵌合隙間を、突起部と差し込み孔の嵌合隙間より大きくとることを特徴とする請求項１〜３のいずれか１項に記載の空気調和機の室外機ユニット。
【発明の詳細な説明】
【技術分野】
【０００１】
本発明は吹出グリルを着脱可能にした空気調和機の室外機ユニットに関するものである。
【背景技術】
【０００２】
従来、この種の空気調和機の室外機ユニットは吹出グリルに形成された係合爪を前面パネルに形成された係合孔に係合させることにより吹出グリルが前面パネルに仮止めされ、浅底パン形状の底板、天板によってユニット胴体部を上下から挟み込むことにより、吹出グリルの上下の固定用片部が底板あるいは天板とユニット胴体部との間に挟まれ、吹出グリルの固定が行われている（例えば、特許文献１参照）。
【０００３】
図５は、特許文献１に記載された従来の空気調和機の室外機ユニットの分解斜視図、図６は、従来の空気調和機の室外機ユニットの断面図を示すものである。図５、図６に示すように、底板１０１、左右の側面パネル１０２、前面パネル１０３、背面パネル１０４、天板１０５、前側の吹出グリル１０６から構成され、底板１０１、側面パネル１０２、前面パネル１０３、背面パネル１０４、天板１０５は金属板により構成され、吹出グリル１０６はプラスチックスにより構成されている。
【特許文献１】特開２０００−２７４７３８号公報
【発明の開示】
【発明が解決しようとする課題】
【０００４】
しかしながら、前記従来の構成では、吹出グリルの各係合爪と前面パネルの係合孔とが整合するように成形することが困難であり、吹出グリルの各係合爪と前面パネルの係合孔の数が多い場合、さらに係合作業が煩雑なものになるという課題を有していた。
【０００５】
また、吹出グリルが装着前の温度や保管状態により膨張収縮等変形した場合、吹出グリルの各係合爪が前面パネルの係合孔に整合出来ず容易に係合出来ない場合前面グリルが使用出来ず廃棄することになり資源の損失を発生させるという課題を有していた。
【０００６】
また、吹出グリルの各係合爪が前面パネルの係合孔に係合された後でも、その後の温度により吹出グリルの膨張収縮等変形した場合、吹出グリルの各係合爪と前面パネルの係合孔とが当たり最終的には吹出グリルの各係合爪が損傷破断し吹出グリルが外れる危険性があるという課題を有していた。
【０００７】
本発明は、前記従来の課題を解決するもので、空気調和機の室外ユニットの吹出グリルの装着作業性に優れ、吹出グリルに形成された係合爪の変形による損傷を防止する空気調和機の室外機ユニットを提供することを目的とする。
【課題を解決するための手段】
【０００８】
前記従来の課題を解決するために、本発明の空気調和機の室外機ユニットは、吹出グリルの各係合爪に隣接する部位に係合爪より突出した突起部を形成し、前面パネルに突起部と整合する部位に差し込み孔を形成し、突起部が差し込み孔へ係合爪より先に差し込まれるように形成したものである。
【０００９】
これによって、まず突起部が先に差し込み孔に挿入され、次に、これである程度位置決めされた各係合爪が前面パネルの係合孔に導かれて係合されるため、吹出グリルの装着作業性に優れたものとなる。
【発明の効果】
【００１０】
本発明の空気調和機の室外機ユニットは、吹出グリルの装着作業性に優れているので、低コストの工数で不良率を低減した製品を提供することができる。
【発明を実施するための最良の形態】
【００１１】
第１の発明は、吹出グリルに形成された係合爪を前面パネルに形成された係合孔に係合させることにより前記吹出グリルが前記前面パネルに装着固定される空気調和機の室外機ユニットであって、前記吹出グリルには前記各係合爪に隣接する部位に前記係合爪より突出した突起部を形成し、前記前面パネルに前記突起部と整合する部位に差し込み孔を形成し、前記突起部が前記差し込み孔へ前記係合爪より先に差し込まれるように形成されているとすることにより、まず突起部が先に差し込み孔に挿入され、次に、これである程度位置決めされた各係合爪が前面パネルの係合孔に導かれて係合されるため、吹出グリルの装着作業性を向上することができる。
【００１２】
第２の発明は、特に、第１の発明の突起部を、鋭角に突出した形状で形成することにより、突起部が差し込み孔をひろい易くなり、吹出グリルの装着作業性をより向上することができる。
【００１３】
第３の発明は、特に、第１の発明の突起部を、根元から先端に向かって細くなるような形状で形成することにより、突起部が差し込み孔をひろい易くなり、吹出グリルの装着作業性をより向上することができる。
【００１４】
第４の発明は、特に、第１〜３のいずれか１つの発明の係合爪と係合孔との嵌合隙間を、突起部と差し込み孔の嵌合隙間より大きくとることにより、係合後に温度差等により吹出グリルの膨張収縮等変形があっても吹出グリルに形成された係合爪の変形による損傷破断を防止することができ、吹出グリルが外れないよう確実に装着固定することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における空気調和機の室外機ユニットの分解斜視図、図２は、本発明の第１の実施の形態における吹出グリルを装着した前面パネルの裏面図、図３は、本発明の第１の実施の形態における吹出グリルを装着した前面パネルの断面図、図４は、本発明の第１の実施の形態における吹出グリルを装着した前面パネルの係合爪付近の拡大断面図を示すものである。
【００１７】
図１において、空気調和機の室外機ユニットは、吹出グリル６を装着した前面パネル３と右の側面パネル２ａと左の側面パネル２ｂとから成るユニット胴体部に、熱交換器４を内包し、浅底パン形状の底板１及び天板５でユニット胴体部を上下から挟み込むことにより、吹出グリル６の上下の固定用片部が底板１あるいは天板５とユニット胴体部との間に挟まれ、吹出グリル６の固定が行われて構成される。底板１、右側面パネル２ａ、左側面パネル２ｂ、前面パネル３、天板５は金属板により構成され、吹出グリル６はプラスチックスにより構成されている。
【００１８】
図２、図３において、吹出グリル６の裏面側には上下左右１２箇所に掛かりの浅い係合爪１２が吹出グリル６に一体成形されており、さらにその各係合爪１２に隣接する部位に係合爪より突出した突起部１４が吹出グリル６に一体成形されている。
【００１９】
一方、前面パネル３には係合爪１２に係合する係合孔１３と、突起部１４と整合する部位に差し込み孔１５が成形されている。
【００２０】
吹出グリル６に形成された係合爪１２を、前面パネル３に形成された係合孔１３に係合させることにより、吹出グリル６が前面パネル３に装着固定される。
【００２１】
吹出グリル６の装着固定時には、まず係合爪１２より突出した突起部１４が先に、前面パネル３の差し込み孔１５に挿入され、次に、これによりある程度位置決めされた吹出グリル６の各係合爪１２が前面パネル３の係合孔１３に導かれて整合し係合され、吹出グリル６が前面パネル３に装着固定される。
【００２２】
これにより、吹出グリルの装着作業性を向上することができる。
【００２３】
また、図４において、突起部１４は、根元から先端に向かって細くなるような鋭角に突出した形状であるため、差し込み孔１５がひろい易く、より挿入し易くなり、吹出グリルの装着作業性をより向上することができる。
【００２４】
更に、吹出グリル６が装着前の温度や保管状態により膨張収縮等変形した場合でも、各係合爪１２が係合孔１３をひろい易いので容易に係合出来、前面グリルが使用出来ず廃棄することになりという資源の損失を発生させ難くできる。
【００２５】
また、係合爪１２と係合孔１３との嵌合隙間Ｂを、突起部１４と差し込み孔１５の嵌合隙間Ａより大きくとることにより、吹出グリル６の装着後に、温度差等により吹出グリル６の膨張収縮等変形しても、各係合爪１２と係合孔１３とが当たり難く、各係合爪１２が損傷破断等変形し難く吹出グリル６が外れる危険性が低減され、変形による損傷を防止することができる。
【産業上の利用可能性】
【００２６】
以上のように、本発明にかかる空気調和機の室外機ユニットは、吹出グリルの装着作業性に優れているので、空気調和機の室内機ユニットや除湿機、温風ヒーター等の用途にも適用できる。
【図面の簡単な説明】
【００２７】
【図１】本発明の実施の形態１における空気調和機の室外機ユニットの分解斜視図
【図２】本発明の実施の形態１における吹出グリルを装着した前面パネルの裏面図
【図３】本発明の実施の形態１における吹出グリルを装着した前面パネルの断面図
【図４】本発明の実施の形態１における吹出グリルを装着した前面パネルの係合爪付近の拡大断面図
【図５】従来の空気調和機の室外機ユニットの分解斜視図
【図６】従来の空気調和機の室外機ユニットの断面図
【符号の説明】
【００２８】
１  底板
２ａ  右側面パネル
２ｂ  左側面パネル
３  前面パネル
４  熱交換器
５  天板
６  吹出グリル
１２、１２−１〜１２  係合爪、
１３  係合孔、
１４、１４−１〜１２  突起部
１５  差し込み孔
Ａ  突起部と差し込み孔の嵌合隙間
Ｂ  係合爪と係合孔との嵌合隙間
【図１】
2008170082.tif 000003
【図２】
2008170082.tif 000004
【図３】
2008170082.tif 000005
【図４】
2008170082.tif 000006
【図５】
2008170082.tif 000007
【図６】
2008170082.tif 000008